(57)【要約】【課題】誘導電動機への電流供給を制御するインバータがロック状態になった場合、インバータの温度上昇を抑制し、ロック状態からの脱出に必要な動力性能を確保する制御装置を提供する。【解決手段】制御装置３０は、インバータがロック状態であるか否かを判断するロック判断部５０と、ロック状態である場合、時間を計測する計測部５２と、計測された時間が、予め設定された設定時間に到達したか否かを判断する時間到達判断部５４と、設定時間に到達した場合、すべり周波数を所定時間変動させるよう制御する周波数制御部５６とを有する。すべり周波数を変動させることにより、電気周波数を変動させることができ、これにより、特定の相に集中している電流も変動させることができるので、その相に対応するスイッチング素子の温度上昇を抑制することができる。【選択図】図１
2014230367.tif 000002
【特許請求の範囲】
【請求項１】
車両を駆動する誘導電動機への電流供給を制御するインバータがロックしたとき、インバータの過熱を防止するために誘導電動機のトルクを制御する車両用誘導電動機制御装置において、
インバータがロック状態か否かを判断するロック判断部と、
ロック判断部によりロック状態であると判断された場合、時間を計測する計測部と、
計測部により計測された時間が、予め設定された設定時間に到達したか否かを判断する時間到達判断部と、
時間到達判断部により設定時間に到達したと判断された場合、誘導電動機のすべり周波数を変動させるよう制御する周波数制御部と、
を有することを特徴とする車両用誘導電動機制御装置。
【請求項２】
請求項１に記載の車両用誘導電動機制御装置において、
周波数制御部は、電気周波数がロック領域を抜けられるようにすべり周波数を変動させる、
ことを特徴とする車両用誘導電動機制御装置。
【請求項３】
請求項１に記載の車両用誘導電動機制御装置において、
周波数制御部は、インバータの特定のスイッチング素子に流れる相電流が、予め設定された保護電流以下となるようにすべり周波数を変動させる、
ことを特徴とする車両用誘導電動機制御装置。
【請求項４】
請求項１から３のいずれか１つに記載の車両用誘導電動機制御装置において、
周波数制御部は、すべり周波数の変動時間が、誘導電動機の実トルク応答時間以下となるように制御する、
ことを特徴とする車両用誘導電動機制御装置。
【請求項５】
請求項１から４のいずれか１つに記載の車両用誘導電動機制御装置において、
前記設定時間は、ロック状態によりインバータが耐熱温度まで上昇するのにかかる時間である、
ことを特徴とする車両用誘導電動機制御装置。
【発明の詳細な説明】
【技術分野】
【０００１】
本発明は車両用誘導電動機制御装置、特に車両を駆動する誘導電動機への電流供給を制御するインバータがロックしたとき、インバータの過熱を防止するために誘導電動機を制御する車両用誘導電動機制御装置に関する。
【背景技術】
【０００２】
電動機の出力により走行する電気自動車またはハイブリッド自動車が知られている。このような自動車においては、通常走行時に電動機が回転している場合、電動機に電気的に接続されるインバータの各スイッチング素子には交流の電流が流れる。ところが、電動機がロック状態になると、インバータの特定のスイッチング素子にのみ大きな直流の電流が流れ、そのスイッチング素子の温度が上昇してしまう。
【０００３】
下記特許文献１には、電動機がロック状態になった場合、電動機のトルクを減少させるように電動機を制御する技術が開示されている。この制御によって、車両が後退して電動機が回転するので、特定の相に電流が集中することを防止し、インバータの特定のスイッチング素子が高温になってしまうことを抑制している。
【０００４】
下記特許文献２には、電動機のロック状態時、電動機のコイル温度に基づいて、ロック状態でも問題が生じないロック可能時間を算出し、この時間が経過すると発熱している特定の相以外の相にも電流を流すことで特定の相の温度上昇を抑制する技術が記載されている。
【先行技術文献】
【特許文献】
【０００５】
【特許文献１】特開２０１０−１３０８９０号公報
【特許文献２】特開２０１２−２２８１３１号公報
【発明の概要】
【発明が解決しようとする課題】
【０００６】
車両の原動機として誘導電動機が採用される場合がある。誘導電動機への電流供給を制御するインバータのロック状態は、誘導電動機への指令信号の周波数、すなわち電気周波数が０Ｈｚまたは低周波数となったときに生じる。誘導電動機における電気周波数は、回転子の回転周波数の測定値と、すべり周波数との和である。このことから、回転周波数とすべり周波数が異符号となって、互いの値の一部または全部が相殺されるときに、電気周波数が０Ｈｚまたは低周波数になる。この状態が、インバータがロックしている状態である。
【０００７】
このようなインバータのロック状態は、例えば登坂路での発進時に生じる。すなわち、ブレーキペダルの解放により、車両は僅かに登坂路をずり下がる。このとき、誘導電動機の回転子の回転方向は負であり、その回転周波数も負となる。そして、アクセルブレーキの踏み込みにより、車両を前方に走行させようとして、誘導電動機に対してトルク指令が出力される。このとき、トルク指令値は正であるので、すべり周波数は正となる。そうすると、回転周波数とすべり周波数が異符号となってインバータがロック状態となる。
【０００８】
このようなロック状態になった場合、上記特許文献１に記載される制御のように、電動機のトルクを減少させることで車両を後退させ電動機の回転を促し、特定の相に電流が集中することを防止することが考えられる。しかしながら、誘導電動機を搭載する車両においては、ロック状態時で既に車両のずり下がりが発生しており、この状態から上記制御によってさらに車両を後退させようとすると、ドライバビリティが低下してしまうという問題がある。
【０００９】
本発明の目的は、誘導電動機への電流供給を制御するインバータがロック状態になっている場合において、ドライバビリティを低下させずに、インバータの特定のスイッチング素子の温度上昇を抑制しつつ、ロック状態からの脱出に必要な動力性能を長時間確保することができる車両用誘導電動機制御装置を提供することにある。
【課題を解決するための手段】
【００１０】
本発明は、車両を駆動する誘導電動機への電流供給を制御するインバータがロックしたとき、インバータの過熱を防止するために誘導電動機のトルクを制御する車両用誘導電動機制御装置において、インバータがロック状態か否かを判断するロック判断部と、ロック判断部によりロック状態であると判断された場合、時間を計測する計測部と、計測部により計測された時間が、予め設定された設定時間に到達したか否かを判断する時間到達判断部と、時間到達判断部により設定時間に到達したと判断された場合、誘導電動機のすべり周波数を変動させるよう制御する周波数制御部とを有することを特徴とする。
【００１１】
また、周波数制御部は、電気周波数がロック領域を抜けられるようにすべり周波数を変動させることができる。
【００１２】
また、周波数制御部は、インバータの特定のスイッチング素子に流れる相電流が、予め設定された保護電流以下となるようにすべり周波数を変動させることができる。
【００１３】
また、周波数制御部は、すべり周波数の変動時間が、誘導電動機の実トルク応答時間以下となるように制御することができる。
【００１４】
また、前記設定時間は、ロック状態によりインバータが耐熱温度まで上昇するのにかかる時間とすることができる。
【発明の効果】
【００１５】
本発明の車両用誘導電動機制御装置によれば、誘導電動機への電流供給を制御するインバータがロック状態になっている場合において、ドライバビリティを低下させずに、インバータの特定のスイッチング素子の温度上昇を抑制しつつ、ロック状態からの脱出に必要な動力性能を長時間確保することができる。
【図面の簡単な説明】
【００１６】
【図１】本実施形態に係る電気自動車の構成を示す図である。
【図２】インバータの電気回路図である。
【図３】誘導電動機に供給される三相交流電流の波形を示す図である。
【図４】インバータロック状態になった時の誘導電動機の制御動作を説明するためのタイミングチャートである。
【図５】別の態様のインバータロック状態になった時の誘導電動機の制御動作を説明するためのタイミングチャートである。
【図６】インバータロック状態時における誘導電動機の制御動作の一例を示すフローチャートである。
【発明を実施するための形態】
【００１７】
以下、本発明に係る車両用誘導電動機制御装置の実施形態について、図を用いて説明する。一例として、誘導電動機で駆動する電気自動車を挙げ、この自動車に搭載される車両用誘導電動機制御装置について説明する。なお、本発明は、電気自動車に限らず、エンジンと誘導電動機との出力で走行する車両、すなわちハイブリッド車両に搭載される車両用誘導電動機制御装置にも適用できる。
【００１８】
まず、本実施形態に係る車両用誘導電動機制御装置を搭載する電気自動車１０の構成について、図１を用いて説明する。図１は、本実施形態に係る電気自動車１０の概略構成を示す図である。
【００１９】
電気自動車１０は、原動機として誘導電動機１２を有する。誘導電動機１２には、動力伝達機構１４を介して駆動輪１６が接続されている。動力伝達機構１４は、誘導電動機１２の出力軸の回転速度を減速する減速機構と、左右の駆動輪１６の回転差を吸収する差動機構とを含む。誘導電動機１２の動力は、動力伝達機構１４を介して、駆動輪１６に伝達され、電気自動車１０が走行する。
【００２０】
誘導電動機１２は、インバータ１８を介してバッテリ２０に電気的に接続される。誘導電動機１２とインバータ１８とは、三相交流用のケーブル２２を介して接続される。一方、インバータ１８とバッテリ２０とは、直流用のケーブル２４を介して接続される。
【００２１】
バッテリ２０は、充放電可能な二次電池であり、例えばニッケル水素バッテリ、リチウムイオンバッテリなどで構成される。もちろん、バッテリ２０に代えて二次電池以外の充放電可能な蓄電器、例えばキャパシタを用いることもできる。
【００２２】
バッテリ２０に蓄えられた電力は、インバータ１８により直流から交流に変換された後に、誘導電動機１２に供給され、誘導電動機１２を駆動する。また、回生時に誘導電動機１２により発電された電力は、インバータ１８により交流から直流に変換された後に、バッテリ２０に送られて蓄えられる。このように、誘導電動機１２は、電動機および発電機として機能することができる。
【００２３】
インバータ１８の構成について、図２を用いて詳述する。図２は、インバータ１８の電気回路図である。
【００２４】
インバータ１８内の回路においては、バッテリ２０に接続される正極母線と負極母線との間に、Ｕ相アーム２５、Ｖ相アーム２６とＷ相アーム２７が並列に設けられる。Ｕ相アーム２５には、スイッチング素子１８ａとスイッチング素子１８ｂとが直列接続され、Ｖ相アーム２６には、スイッチング素子１８ｃとスイッチング素子１８ｄとが直列接続され、Ｗ相アーム２７には、スイッチング素子１８ｅとスイッチング素子１８ｆとが直列接続される。スイッチング素子１８ａ〜１８ｆは、例えばＩＧＢＴ（Insulated Gate Bipolar Transistor）、パワートランジスタ、サイリスタ等から構成される。
【００２５】
各相アーム２５，２６，２７の中間点は、誘導電動機１２の各相コイルの各相端に接続されている。すなわち、Ｕ相アーム２５の中間点は、誘導電動機１２のＵ相コイルの一端に接続され、Ｖ相アーム２６の中間点は、誘導電動機１２のＶ相コイルの一端に接続され、Ｗ相アーム２７の中間点は、誘導電動機１２のＷ相コイルの一端に接続される。なお、誘導電動機１２は、誘導電動機１２の各相コイルの他端が中点に共通に接続されて構成される。
【００２６】
また、インバータ１８内の回路においては、バッテリ２０に接続される正極母線と負極母線との間に、コンデンサ２８が各相アーム２５，２６，２７に対し並列に設けられている。コンデンサ２８は、バッテリ２０からインバータ１８内に供給された直流の電圧を平滑化する。
【００２７】
インバータ１８の動作について説明する。バッテリ２０から直流の電力が各相アーム２５，２６，２７に供給される。各相アーム２５，２６，２７に直流の電力が供給されると、スイッチング素子１８ａ〜１８ｆが、後述する車両用誘導電動機制御装置３０からのＰＷＭ（パルス幅変調）制御信号に応じてオン／オフする。これにより、インバータ１８は、電力を直流から三相交流に変換して、誘導電動機１２を駆動する。
【００２８】
図１の説明に戻り、電気自動車１０は、運転者の要求と車両の状態とに基づき誘導電動機１２を制御する車両用誘導電動機制御装置（以下、単に制御装置と記す）３０を有する。制御装置３０は、マイクロコンピュータで構成される。
【００２９】
制御装置３０には、イグニッションスイッチ３２と、アクセルペダルの踏み込み量を検出するアクセルペダルポジションセンサ３４と、ブレーキペダルの踏み込み量を検出するブレーキペダルポジションセンサ３６と、シフトレバーの操作位置を検出するシフトポジションセンサ３８と、車速を検出する車速センサ４０とが接続されている。制御装置３０は、これらのセンサからの入力信号に基づいて運転者の要求と車両の状態を把握する。
【００３０】
また、制御装置３０には、バッテリ２０の端子間電圧を検出する電圧センサと、バッテリ２０の充放電電流を検出する電流センサと、バッテリ２０の温度を検出する温度センサとが接続されている（共に図示せず）。制御装置３０は、これらのセンサからの入力信号に基づいてバッテリ２０の状態を管理する。
【００３１】
また、制御装置３０には、誘導電動機１２の回転子の回転位置を検出する回転位置検出センサ４２と、誘導電動機１２に印加される電流を検出する電流センサ４４とが接続されている。制御装置３０は、これらのセンサからの入力信号と、上述した運転者の要求及びバッテリの状態とに基づいてインバータ１８へスイッチング制御信号を出力する。
【００３２】
次に、インバータ１８がロック状態になったときに、特定の相に電流が集中し、インバータ１８の特定のスイッチング素子が高温になる原因について、図３を用いて説明する。図３は、誘導電動機１２に供給される三相交流電流の波形を示す図である。波形は正弦波であり、Ｕ相，Ｖ相，Ｗ相はそれぞれ１２０度の位相差がある。三相交流電流の波形の電気角は、誘導電動機１２の回転子の回転角に応じて決定される。
【００３３】
インバータ１８のロック状態は、誘導電動機１２への指令信号の周波数、すなわち電気周波数が０Ｈｚまたは低周波数となったときに生じる。誘導電動機１２における電気周波数は、従来技術で述べたように、回転子の回転周波数の測定値と、すべり周波数との和である。このことから、回転周波数とすべり周波数が異符号となって、互いの値の一部または全部が相殺されるときに、電気周波数が０Ｈｚまたは低周波数になる。この状態が、インバータ１８がロックしている状態である。以降、このようにインバータ１８がロックすることを、単にインバータロックと記す。また、電気周波数が０Ｈｚまたは低周波数である領域、すなわち電気周波数ｆが−Ａ≦ｆ≦Ａ（Ａは低周波数）の条件に当てはまる領域を、以降、ロック領域と記す。
【００３４】
インバータロック時においては、三相交流電流の波形は、固定された回転角に対応する電気角で止まった状態となり、その電気角の電流が継続的に流れる。すなわち、各相に直流の電流が流れる。直流の電流は、インバータ１８のスイッチング素子１８ａ〜１８ｆにも流れる。固定された電気角によっては、特定の相に電流が集中することになる。そうすると、その相に対応するスイッチング素子にも大きい電流が流れるので、素子自身の熱損失によりその素子が発熱して熱破壊する可能性が高くなる。
【００３５】
そこで、本実施形態は、次に説明する制御装置３０の構成により、インバータロック時においても、インバータ１８の特定のインバータ素子の温度上昇を抑制するようにしている。
【００３６】
制御装置３０は、インバータロックであるか否かを判断するロック判断部５０と、インバータロックの場合、時間を計測する計測部５２と、時間が設定時間に到達したか否かを判断する時間到達判断部５４と、時間が設定時間に到達した場合、誘導電動機１２のすべり周波数を変動させるよう制御する周波数制御部５６とを有する。設定時間とは、インバータロックによって特定のスイッチング素子が、その素子の耐熱温度に上昇するまでにかかる時間のことであり、この時間は予め設定されている。
【００３７】
このように、インバータロック状態になってから設定時間になった場合、すべり周波数を変動させることにより、電気周波数を変動させることができる。この電気周波数の変動により、特定の相に集中している電流も変動させることができるので、その相に対応するスイッチング素子の温度上昇を抑制することができる。このように、インバータロック状態になっている間においても、すべり周波数の変動制御により、スイッチング素子の温度上昇が抑制されるので、インバータロック状態からの脱出に必要な動力性能を長時間確保することができる。
【００３８】
すべり周波数の変動制御は所定時間行われる。この所定時間は、誘導電動機１２の実トルクが応答する時間、例えば数ｍｓより短い時間である。このように実トルク応答時間より短い時間においてすべり周波数を変動させることにより、車両に対してトルク変動を起こさせずに、インバータロック状態からの脱出に必要な動力性能を確保することができる。すなわち、ドライバビリティの低下を防止しつつ、インバータロック状態からの脱出を図ることができる。
【００３９】
ロック判断部５０は、電気周波数がロック領域内にあり、かつ特定のスイッチング素子を流れる相電流が、予め設定されたロック電流値以上である場合、インバータロックであると判断する。ロック電流値は、素子の温度上昇を促進してしまう電流値である。
【００４０】
周波数制御部５６は、電気周波数がロック領域を抜けられるようにすべり周波数を変動させる。電気周波数がロック領域から逸脱することにより、電流位相を変化させることができる。この電流位相の変化により、特定の相に集中していた電流も他の相へと分散させることができる。よって、特定の相に対応するスイッチング素子の温度上昇を抑制することができる。
【００４１】
また、周波数制御部５６は、インバータ１８の特定のスイッチング素子に流れる相電流が、予め設定された保護電流値以下となるようにすべり周波数を変動させることができる。これにより、そのスイッチング素子の温度上昇が抑制されるので、インバータロック状態からの脱出に必要な動力性能を長時間確保することができる。なお、保護電流は、ロック電流値より低く設定される。
【００４２】
次に、インバータロック状態が生じた場合における誘導電動機１２の制御動作について図４を用いて具体的に説明する。図４は、インバータロック状態になった時の誘導電動機１２の制御動作を説明するためのタイミングチャートである。図４は、上段から、トルク指令と時間との関係を示すグラフ、相電流と時間との関係を示すグラフ、すべり周波数と時間との関係を示すグラフ、そして電気周波数と時間との関係を示すグラフである。
【００４３】
時間ｔ０はインバータロックになった時点であり、時間ｔ１は設定時間の時点である。すなわち、時間ｔ０から時間ｔ１までの間は、計測部５２により時間が計測されている。そして、時間ｔ１から時間ｔ３までは、上述したすべり周波数を変動させる所定時間である。このタイミングチャートは、この時間の流れの繰り返しを表わしている。すなわち、時間ｔ３がインバータロックになった時点であり、時間ｔ４が設定時間であり、時間ｔ４から時間ｔ６はすべり周波数を変動させる所定時間である。
【００４４】
インバータロック状態のとき、上段のグラフのように、誘導電動機１２に対するトルク指令は一定とする。そして、２番目のグラフの相電流は、特定の相を流れる電流である。特定の相は、時間ｔ０の時点において、三相各相の電気角を測定し、三相のうち最も大きい電流が流れる相として特定される。具体的には、回転位置検出センサ４２または電流センサ４４で電気角を測定し、その電気角を図３に示す波形に当て嵌めることで目的の相が特定される。
【００４５】
時間ｔ１になると、特定のスイッチング素子の温度が耐熱温度にまで上昇してしまうので、すべり周波数を変動させるように制御する。具体的には、３番目のグラフのように、時間ｔ１から時間ｔ２になるにつれてすべり周波数を低下させ、時間ｔ２から時間ｔ３になるにつれてすべり周波数を増加させる。この間、上段のグラフのトルク指令は、すべり周波数を変動させるために、すべり周波数と同じ波形になる。また、すべり周波数を変動させた時、上段から２番目のグラフのように、相電流が低下する。具体的には、相電流が、時間ｔ２の時点で、予め設定されたスイッチング素子の保護電流値より下がる。これにより、スイッチング素子の温度上昇が抑制される、または温度が低下する。
【００４６】
また、すべり周波数を変動させた時、上段から４番目のグラフのように、電気周波数が低下する。具体的には、電気周波数が、時間ｔ２の時点で、ロック領域（図中のハッチングされた領域）から外れる。これにより、インバータロック状態が一時的に回避され、特定の相に集中していた電流も他の相へと分散させることができる。
【００４７】
そして、時間ｔ３の時点において、再びインバータロック状態となった場合、時間ｔ０から時間ｔ３までの動作を繰り返す。上述のようにスイッチング素子の温度上昇が抑制されるので、同一動力性能におけるインバータロック状態からの脱出に必要な時間を再び確保することができる。
【００４８】
本実施形態においては、設定時間に到達後、すべり周波数を所定時間低下させるよう制御する場合について説明したが、インバータロック状態から脱出することができるのであれば、すべり周波数を所定時間増加させてもよい。この場合、図５に示されるように、トルク指令が増加するように制御される。そして、上段から４番目のグラフのように、電気周波数が、時間ｔ２の時点において、上昇してロック領域から外れることになり、インバータロック状態が一時的に回避され、特定の相に集中していた電流も他の相へと分散させることができる。
【００４９】
次に、本実施形態における制御装置３０の制御動作について、図６を用いて説明する。図６は、インバータロック状態時における誘導電動機１２の制御動作の一例を示すフローチャートである。
【００５０】
まず、ステップＳ１０１において、インバータがロック状態であるか否かが判断される。判断基準は、電気周波数がロック領域内であり、かつ相電流がロック電流値以上である場合である。ロック状態であると判断された場合、Ｓ１０２に進み、時間が計測される。一方、ロック状態でないと判断された場合、Ｓ１０５に進み、通常のトルク指令が出力される。
【００５１】
そして、Ｓ１０３において、計測している時間が設定時間に到達したか否かが判断される。設定時間に到達した場合、Ｓ１０４に進む。一方、設定時間にまだ到達していない場合、Ｓ１０２に戻る。
【００５２】
Ｓ１０４においては、すべり周波数を変動するように制御される。具体的には、相電流が保護電流値以下となる、または電気周波数がロック領域から外れるようにすべり周波数を変動させる。この変動時間は、誘導電動機の実トルク応答時間より短い時間である。
【００５３】
本実施形態の制御装置３０によれば、制御装置３０がすべり周波数の変動制御を行うことにより、電気周波数を変動させて、特定の相に集中している電流も変動させることができるので、その相に対応するスイッチング素子の温度上昇を抑制することができる。このように、インバータロック状態になっている間においても、すべり周波数の変動制御により、スイッチング素子の温度上昇が抑制されるので、インバータロック状態からの脱出に必要な動力性能を長時間確保することができる。また、すべり周波数を変動させる時間は、誘導電動機１２の実トルクが応答する時間より短い時間である。このような短い時間の変動制御により、車両に対してトルク変動を起こさせずに、言い換えれば、ドライバビリティの低下を防止しつつ、インバータロック状態からの脱出を図ることができる。
【００５４】
本実施形態においては、インバータロックになると時間を計測し、その時間が耐熱温度上昇時間を経過するとすべり周波数を変更するように制御する場合について説明したが、本発明はこの構成に限定されない。インバータロック時における素子の熱破壊を防止することができるのであれば、インバータ素子の温度を計測し、その温度が耐熱温度に到達した場合に、すべり周波数を変更するように制御してもよい。
【符号の説明】
【００５５】
１０  電気自動車、１２  誘導電動機、１４  動力伝達機構、１６  駆動輪、１８  インバータ、２０  バッテリ、２２，２４  ケーブル、２５  Ｕ相アーム、２６  Ｖ相アーム、２７  Ｗ相アーム、２８  コンデンサ、３０  車両用誘導電動機制御装置、３２  イグニッションスイッチ、３４  アクセルペダルポジションセンサ、３６  ブレーキペダルポジションセンサ、３８  シフトポジションセンサ、４０  車速センサ、４２  回転位置検出センサ、４４  電流センサ、５０  ロック制御部、５２  計測部、５４  時間到達判断部、５６  周波数制御部。
【図１】
2014230367.tif 000003
【図２】
2014230367.tif 000004
【図３】
2014230367.tif 000005
【図４】
2014230367.tif 000006
【図５】
2014230367.tif 000007
【図６】
2014230367.tif 000008